(57)【要約】【課題】ユーザがクーポン配布サーバに、クーポン配布希望地域を登録しなくとも、ユーザが良く商品を購入する地域で利用可能なクーポンを得られるようにする。【解決手段】携帯端末3-1の所有者が、店舗端末2-1の設置店舗で商品を購入すると、店舗端末2-1は携帯端末3-1から読み取った端末IDと、自端末2-1が設置されている店舗固有の店舗IDを含んだ店舗情報とをクーポン配布サーバ１へ送信する。クーポン配布サーバ１には、端末IDに関連付けて、携帯端末の所有者が商品を購入して店舗の店舗IDが記録された購入履歴情報記憶部が設けられており、店舗情報が送られてくると、クーポン配布サーバ１は、購入履歴情報記憶部を更新すると共に、購入履歴情報記憶部の内容に基づいて、携帯端末3-1の所有者が良く商品を購入する地域を求め、その地域に存在する店舗のクーポン情報を携帯端末3-1へ送信する。【選択図】図１
2012208647.tif 000002
【特許請求の範囲】
【請求項１】
クーポン配布サーバと、店舗端末と、携帯端末とを備え、
前記携帯端末は、
自端末固有の端末ＩＤが記録された端末ＩＤ記憶部を備え、
前記店舗端末は、
前記携帯端末の端末ＩＤ記憶部に記録されている端末ＩＤを読み取る店舗側端末ＩＤリードライト部と、
自端末が設置されている店舗固有の店舗ＩＤを含んだ店舗情報と、前記店舗側端末ＩＤリードライト部が読み取った前記携帯端末の端末ＩＤとを含んだ購入情報を前記クーポン配布サーバへ送信する店舗側制御部とを備え、
前記クーポン配布サーバは、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部と、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部と、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部とを備えたことを特徴とするクーポン配布システム。
【請求項２】
請求項１記載のクーポン配布システムにおいて、
前記発行クーポン選択部は、前記検索した購入履歴情報中の店舗ＩＤによって示される店舗が存在する地域に基づいて、前記携帯端末の所有者による商品購入回数が多い方から所定個数の地域を選択し、該選択した地域に存在する店舗の店舗ＩＤに関連付けて前記クーポン情報記憶部に記録されているクーポン情報を配布対象のクーポン情報として選択することを特徴とするクーポン配布システム。
【請求項３】
請求項２記載のクーポン配布システムにおいて、
前記購入履歴記憶部には、端末ＩＤに関連付けて、該端末ＩＤの携帯端末の所有者の移動経路を示す移動経路情報が更に記録され、
前記発行クーポン選択部は、前記店舗端末から送られてきた購入情報中の端末ＩＤと関連付けて記録されている移動経路情報を前記購入履歴情報記憶部から検索し、該検索した移動経路情報によって示される移動経路を含んだ地域に存在する店舗の店舗ＩＤに関連付けて前記クーポン情報記憶部に記録されているクーポン情報を配布対象のクーポン情報として選択することを特徴とするクーポン配布システム。
【請求項４】
請求項３記載のクーポン配布システムにおいて、
前記クーポン配布サーバは、前記購入履歴情報記憶部に記録されている端末ＩＤ毎に、その端末ＩＤに関連付けて記録されている店舗ＩＤによって示される店舗が存在する地域に基づいて、前記端末ＩＤの携帯端末の所有者の移動経路を求め、該求めた移動経路を示す移動経路情報を前記端末ＩＤに関連付けて、前記購入履歴情報記憶部に記録する移動経路算出部を備えることを特徴とするクーポン配布システム。
【請求項５】
請求項４記載のクーポン配布システムにおいて、
前記移動経路算出部は、前記端末ＩＤの携帯端末の所有者の最も商品購入回数が多い地域に存在する第１の駅と、前記所有者の商品購入回数が第２番目に多い地域に存在する第２の駅と、前記第１の駅と前記第２の駅とを結ぶ交通機関の路線を求め、前記第１の駅を示す情報、前記第２の駅を示す情報、及び、前記路線を示す情報を、前記移動経路情報として記録することを特徴とするクーポン配布システム。
【請求項６】
請求項１乃至５の何れか１項に記載のクーポン配布システムにおいて、
前記携帯端末は、他の携帯端末の端末ＩＤ記憶部に記録されている端末ＩＤを読み取って自端末内の端末ＩＤ記憶部に記録する携帯側端末ＩＤリードライト部を備え、且つ、
前記クーポン情報記憶部には、店舗ＩＤを含んだ店舗情報に関連付けて、クーポン内容が異なる複数のクーポン情報が記録され、
前記店舗側端末ＩＤリードライト部は、前記携帯端末の端末ＩＤ記憶部に、前記携帯端末の端末ＩＤと前記他の携帯端末の端末ＩＤとが記録されている場合はその両方を読み取り、
前記店舗側制御部は、前記店舗側端末ＩＤリードライト部が前記携帯端末の端末ＩＤ記憶部から２つの端末ＩＤを読み取った場合には、該読み取った２つの端末ＩＤを含んだ購入情報を前記クーポン配布サーバへ送信し、
前記発行クーポン選択部は、前記店舗端末から購入情報が送られてきたとき、前記購入情報中の店舗情報に関連付けて前記クーポン情報記憶部に記録されている複数のクーポン情報の中から、前記購入情報に含まれている端末ＩＤの数に応じたクーポン情報を配布対象のクーポン情報として選択することを特徴とするクーポン配布システム。
【請求項７】
クーポン配布サーバと、自端末固有の端末ＩＤが記録された端末ＩＤ記憶部を備えた携帯端末と、前記携帯端末の端末ＩＤ記憶部に記録されている端末ＩＤを読み取る店舗側端末ＩＤリードライト部、および、自端末が設置されている店舗固有の店舗ＩＤを含んだ店舗情報と前記店舗側端末ＩＤリードライト部が読み取った前記携帯端末の端末ＩＤとを含んだ購入情報を前記クーポン配布サーバへ送信する店舗側制御部とを備えた店舗端末とから構成されるクーポン配布システムの構成要素であるクーポン配布サーバであって、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部と、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部と、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部とを備えたことを特徴とするクーポン配布サーバ。
【請求項８】
店舗端末の店舗側端末ＩＤリードライト部が、携帯端末の端末ＩＤ記憶部に記録されている端末ＩＤを読み取り、
前記店舗端末の店舗側制御部が、自端末が設置されている店舗固有の店舗ＩＤを含んだ店舗情報と、前記店舗側端末ＩＤリードライト部が読み取った前記携帯端末の端末ＩＤとを含んだ購入情報をクーポン配布サーバへ送信し、
端末ＩＤに関連付けて、店舗情報を含んだ購入履歴情報が記録される購入履歴情報記憶部と、店舗ＩＤを含んだ店舗情報に関連付けて、クーポン内容を示すクーポン情報が記録されるクーポン情報記憶部とを備えたクーポン配布サーバの購入履歴情報更新部が、前記店舗端末から送られてきた購入情報中の端末ＩＤと同一の端末ＩＤを前記購入履歴情報記憶部から検索し、該検索した端末ＩＤに関連付けて前記購入情報中の店舗情報を記録し、
前記クーポン配布サーバの発行クーポン選択部が、前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信することを特徴とするクーポン配布方法。
【請求項９】
クーポン配布サーバと、自端末固有の端末ＩＤが記録された端末ＩＤ記憶部を備えた携帯端末と、前記携帯端末の端末ＩＤ記憶部に記録されている端末ＩＤを読み取る店舗側端末ＩＤリードライト部、および、自端末が設置されている店舗固有の店舗ＩＤを含んだ店舗情報と前記店舗側端末ＩＤリードライトが読み取った前記携帯端末の端末ＩＤとを含んだ購入情報を前記クーポン配布サーバへ送信する店舗側制御部とを備えた店舗端末とから構成されるクーポン配布システムの構成要素であるクーポン配布サーバをコンピュータによって実現するためのプログラムであって、
前記コンピュータは、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部とを備え、
前記コンピュータを、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部として機能させるためのプログラム。
【発明の詳細な説明】
【技術分野】
【０００１】
本発明は、電子的なクーポンを配布するクーポン配布システムに関する。
【背景技術】
【０００２】
近年、ネットワークを介してクーポンを配布するということが盛んに行われるようになってきている。クーポン配布システムとしては、種々のものが知られており、ユーザが良く商品を購入する地域のクーポンを配布するようにしたものも知られている（例えば、特許文献１，２参照）。
【０００３】
特許文献１，２に記載されている技術は、ユーザが、自身の携帯端末などを用いて最寄駅など、商品を良く購入する地域（クーポン利用希望地域）をクーポン配布サーバに登録し、クーポン配布サーバでは、ユーザによって登録されたクーポンの利用希望地域に基づいて、多数のクーポンの中から上記ユーザの携帯端末に配布するクーポンを選択し、選択したクーポンを、ネットワークを介してユーザの携帯端末に送信するというものである。
【先行技術文献】
【特許文献】
【０００４】
【特許文献１】特開２００５−５６３６５号公報
【特許文献２】特開２００６−２５２１６０号公報
【発明の概要】
【発明が解決しようとする課題】
【０００５】
特許文献１，２に記載されている技術によれば、ユーザは、良く商品を購入する地域で利用可能なクーポンを得ることができる。しかし、特許文献１，２に記載されている技術では、ユーザ自身がクーポン配布サーバに、クーポン利用希望地域を登録しなければならないという問題がある。
【０００６】
[発明の目的]
そこで、本発明の目的は、ユーザ自身がクーポン配布サーバに、クーポン利用希望地域を登録しなければならないという課題を解決したクーポン配布システムを提供することにある。
【課題を解決するための手段】
【０００７】
本発明にかかる第１のクーポン配布システムは、
クーポン配布サーバと、店舗端末と、携帯端末とを備え、
前記携帯端末は、
自端末固有の端末ＩＤが記録された端末ＩＤ記憶部を備え、
前記店舗端末は、
前記携帯端末の端末ＩＤ記憶部に記録されている端末ＩＤを読み取る店舗側端末ＩＤリードライト部と、
自端末が設置されている店舗固有の店舗ＩＤを含んだ店舗情報と、前記店舗側端末ＩＤリードライト部が読み取った前記携帯端末の端末ＩＤとを含んだ購入情報を前記クーポン配布サーバへ送信する店舗側制御部とを備え、
前記クーポン配布サーバは、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部と、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部と、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部とを備える。
【０００８】
本発明にかかるクーポン配布サーバは、
クーポン配布サーバと、自端末固有の端末ＩＤが記録された端末ＩＤ記憶部を備えた携帯端末と、前記携帯端末の端末ＩＤ記憶部に記録されている端末ＩＤを読み取る店舗側端末ＩＤリードライト部、および、自端末が設置されている店舗固有の店舗ＩＤを含んだ店舗情報と前記店舗側端末ＩＤリードライト部が読み取った前記携帯端末の端末ＩＤとを含んだ購入情報を前記クーポン配布サーバへ送信する店舗側制御部とを備えた店舗端末とから構成されるクーポン配布システムの構成要素であるクーポン配布サーバであって、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部と、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部と、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部とを備える。
【０００９】
本発明にかかるクーポン配布方法は、
店舗端末の店舗側端末ＩＤリードライト部が、携帯端末の端末ＩＤ記憶部に記録されている端末ＩＤを読み取り、
前記店舗端末の店舗側制御部が、自端末が設置されている店舗固有の店舗ＩＤを含んだ店舗情報と、前記店舗側端末ＩＤリードライト部が読み取った前記携帯端末の端末ＩＤとを含んだ購入情報をクーポン配布サーバへ送信し、
端末ＩＤに関連付けて、店舗情報を含んだ購入履歴情報が記録される購入履歴情報記憶部と、店舗ＩＤを含んだ店舗情報に関連付けて、クーポン内容を示すクーポン情報が記録されるクーポン情報記憶部とを備えたクーポン配布サーバの購入履歴情報更新部が、前記店舗端末から送られてきた購入情報中の端末ＩＤと同一の端末ＩＤを前記購入履歴情報記憶部から検索し、該検索した端末ＩＤに関連付けて前記購入情報中の店舗情報を記録し、
前記クーポン配布サーバの発行クーポン選択部が、前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する。
【００１０】
本発明にかかるプログラムは、
クーポン配布サーバと、自端末固有の端末ＩＤが記録された端末ＩＤ記憶部を備えた携帯端末と、前記携帯端末の端末ＩＤ記憶部に記録されている端末ＩＤを読み取る店舗側端末ＩＤリードライト部、および、自端末が設置されている店舗固有の店舗ＩＤを含んだ店舗情報と前記店舗側端末ＩＤリードライト部が読み取った前記携帯端末の端末ＩＤとを含んだ購入情報を前記クーポン配布サーバへ送信する店舗側制御部とを備えた店舗端末とから構成されるクーポン配布システムの構成要素であるクーポン配布サーバをコンピュータによって実現するためのプログラムであって、
前記コンピュータは、
端末ＩＤに関連付けて、店舗情報を含んだ購入履歴情報が記録される購入履歴情報記憶部と、
店舗ＩＤを含んだ店舗情報に関連付けて、クーポン内容を示すクーポン情報が記録されるクーポン情報記憶部とを備え、
前記コンピュータを、
前記店舗端末から送られてきた購入情報中の端末ＩＤと同一の端末ＩＤを前記購入履歴情報記憶部から検索し、該検索した端末ＩＤに関連付けて前記購入情報中の店舗情報を記録する購入履歴情報更新部、
前記店舗端末から送られてきた購入情報中の端末ＩＤと関連付けて記録されている購入履歴情報を前記購入履歴情報記憶部から検索し、該検索した購入履歴情報中の店舗ＩＤによって示される店舗が存在する地域と、前記クーポン情報記憶部に記録されている店舗情報中の店舗ＩＤによって示される店舗が存在する地域とに基づいて、前記クーポン情報記憶部に記憶されているクーポン情報の中から配布対象にするクーポン情報を選択し、該選択したクーポン情報を前記携帯端末に対して送信する発行クーポン選択部として機能させる。
【発明の効果】
【００１１】
本発明によれば、ユーザがクーポン利用希望地域をクーポン配布サーバに登録するといった面倒な操作を行わなくとも、ユーザが良く商品を購入する地域で利用可能なクーポン情報を得ることができる。
【図面の簡単な説明】
【００１２】
【図１】本発明にかかるクーポン配布システムの構成例を示すブロック図である。
【図２】携帯端末３−１の構成例を示すブロック図である。
【図３】店舗端末２−１の構成例を示すブロック図である。
【図４】クーポン配布サーバ１の構成例を示すブロック図である。
【図５】利用者情報記憶部１３１の内容例を示す図である。
【図６】購入履歴情報記憶部１３２の内容例を示す図である。
【図７】クーポン情報記憶部１３３の内容例を示すブロック図である。
【図８】クーポン配布システムの処理例を示すフローチャートである。
【図９】発行クーポン選択部１２２の処理例を示すフローチャートである。
【発明を実施するための形態】
【００１３】
[本発明の実施の形態]
図１を参照すると、本発明にかかるクーポン配布システムの実施の形態は、クーポン配布サーバ１と、店舗端末２−１〜２−ｊと、携帯端末３−１〜３−ｋとを含んでいる。クーポン配布サーバ１と店舗端末２−１〜２−ｊとは、ネットワーク５を介して相互に接続され、クーポン配布サーバ１と携帯端末３−１〜３−ｋとは、無線基地局４およびネットワーク５を介して相互に接続されている。
【００１４】
図２を参照すると、携帯電話機などによって構成される携帯端末３−１は、送受信部３１と、端末ＩＤ記憶部３２と、端末ＩＤリードライト部３３と、ＬＣＤ等の表示部３４と、テンキーなどの入力部３５と、クーポン情報記憶部３６と、携帯端末３−１の各部を制御する、ＣＰＵなどによって実現される制御部３７とを備えている。尚、図２では、送受話器など、本発明に無関係な部分は図示を省略している。また、他の携帯端末も同様の構成を有している。
【００１５】
送受信部３１は、基地局４及びネットワーク５を介してデータをやり取りする機能を有する。
【００１６】
端末ＩＤ記憶部３２は、無接触でデータの読み書きを行うことができる無線ＩＣチップ等によって実現されるものであり、自端末３−１固有の端末ＩＤなどが記録される。
【００１７】
端末ＩＤリードライト部３３は、無線ＩＣチップ等で構成されている端末ＩＤ記憶部に対し、データの読み書きを行う機能を有する。
【００１８】
クーポン情報記憶部３６には、クーポン配布サーバ１から送られてきたクーポン情報が記録される。
【００１９】
制御部３７は、送受信部３１を介して受信したクーポン情報をクーポン情報記憶部３６に記録する機能や、入力部３５から入力されるユーザの指示に従って、クーポン情報記憶部３６に記録されているクーポン情報を表示部３４に表示する機能などを有する。
【００２０】
図３を参照すると、コンピュータ等によって構成される店舗端末２−１は、送受信部２１と、端末ＩＤリードライト部２２と、店舗情報記憶部２３と、ＬＣＤ等の表示部２４と、テンキー、バーコードリーダ等の入力部２５と、店舗端末２−１の各部を制御する、ＣＰＵ等によって実現される制御部２６とを備えている。尚、他の店舗端末も店舗端末２−１と同様の構成を備えている。
【００２１】
送受信部２１は、ネットワーク５を介してデータを送受信する機能を有する。
【００２２】
端末ＩＤリードライト部２２は、携帯端末３−１〜３−ｋの端末ＩＤ記憶部３２に記録されている端末ＩＤを無接触で読み取る機能などを有する。
【００２３】
店舗情報記憶部２３には、自端末２−１が設置されている店舗固有の店舗ＩＤと、上記店舗が存在する地域を示す地域情報とを含んだ店舗情報が記録される。ここで、地域情報としては、住所や、最寄り駅や、地域毎に定められている地域ＩＤなどを使用することができる。
【００２４】
制御部２６は、携帯端末３−１の所有者が商品を購入した際、クーポン配布サーバ１に対して購入情報を送信する機能などを有する。購入情報には、端末ＩＤリードライト部２２が、携帯端末３−１の端末ＩＤ記憶部３２から読み取った端末ＩＤと、店舗情報記憶部２３に記録されている店舗情報と、入力部２５から入力される商品情報（商品名、商品番号など）と、クーポンが利用されたか否かを示すクーポン利用情報とが含まれる。
【００２５】
図４を参照すると、コンピュータによって実現されるクーポン配布サーバ１は、送受信部１１と、制御部１２と、記憶装置１３とを備えている。
【００２６】
記憶装置１３は、ディスク装置などによって実現されるものであり、利用者情報記憶部１３１と、購入履歴情報記憶部１３２と、クーポン情報記憶部１３３と、路線情報記憶部１３４とを備えている。
【００２７】
利用者情報記憶部１３１には、クーポン配布サーバ１を利用可能な携帯端末の端末ＩＤに関連付けて、携帯端末の所有者の住所、氏名といった個人情報や、メールアドレスが記録されている。図５の利用者情報記憶部１３１の内容例を示す。
【００２８】
購入履歴情報記憶部１３２には、携帯端末の端末ＩＤに関連付けて、その所有者の商品購入履歴を示す購入履歴情報と、クーポンの利用回数と、嗜好情報と、移動経路情報とが記録されている。
【００２９】
購入履歴情報は、購入した商品を示す商品情報と、その商品を購入した店舗の店舗情報と、その商品の購入日時と、クーポンの利用回数情報と、所有者の嗜好を示す嗜好情報と、所有者が良く利用する移動経路を示す移動経路情報とが記録されている。
【００３０】
商品情報は、商品名や、商品番号を含んでいる。店舗情報は、店舗固有の店舗ＩＤと、店舗が存在する地域を示す地域情報を含んでいる。クーポンの利用回数情報は、クーポンの利用回数を示す。嗜好情報は、携帯端末の所有者の嗜好を示す情報であり、図示を省略した嗜好抽出手段によって記録される。上記嗜好抽出手段は、商品情報に基づいて、携帯端末の所有者の嗜好を求め、求めた嗜好を示す嗜好情報を購入履歴情報記憶部１３２に記録する。移動経路情報は、ユーザが良く利用する移動経路を示す情報であり、後述する移動経路算出部１２３によって購入履歴情報記憶部１３２によって記録される。尚、本実施の形態では、移動経路情報は、鉄道やバスなどの交通機関の路線を示す路線情報と、乗車駅を示す情報と、降車駅を示す情報とから構成される。図６に購入履歴情報記憶部１３２の内容例を示す。
【００３１】
クーポン情報記憶部１３３には、クーポンの発行元の店舗の店舗ＩＤに関連付けて、店舗毎に異なるクーポンＩＤと、クーポン内容を示す第１レベル〜第３レベルのクーポン情報と、嗜好情報とが記録されている。尚、本実施の形態では、第１レベルのクーポン情報が割引率などの特典が最も低く、第３レベルのクーポン情報が特典が最も高くなっている。図７のクーポン情報記憶部１３３の内容例を示す。
【００３２】
路線情報記憶部１３４には、鉄道やバスなどの交通機関の路線情報が記録されている。路線情報には、路線名と、その路線名の路線に存在する駅の駅名と、各駅の位置を示す位置情報等が記録されている。
【００３３】
送受信部１１は、ネットワーク５を介してデータをやり取りする機能を有する。
【００３４】
制御部１２は、購入履歴情報更新部１２１と、発行クーポン選択部１２２と、移動経路算出部１２３とを備えている。
【００３５】
購入履歴情報更新部１２１は、ネットワーク５を介して店舗端末２−１〜２−ｊから送られてくる購入情報に基づいて、購入履歴情報記憶部１３２に記録されている購入履歴情報およびクーポン利用回数を更新する機能などを有する。
【００３６】
発行クーポン選択部１２２は、ネットワーク５を介して店舗端末２−ｊから購入情報が送られてきたとき、購入履歴情報記憶部１３２に記録されている情報の内の、上記購入情報に含まれている端末ＩＤと関連付けて記録されている情報と、クーポン情報記憶部１３３に記録されている情報とに基づいて、上記端末ＩＤの携帯端末に配布するクーポン情報を選択し、選択したクーポン情報を上記端末ＩＤの携帯端末に送信する機能を有する。尚、本実施の形態では、クーポン情報を添付ファイルとして添付した電子メールを、上記端末ＩＤの携帯端末に送信することにより、クーポン情報を配布するものとする。また、上記電子メールの宛先にするメールアドレスは、利用者情報記憶部１３１から、上記端末ＩＤに関連付けて記録されているメールアドレスを検索することにより求めるものとする。
【００３７】
移動経路算出部１２３は、定期的（例えば、１日１回）に、購入履歴情報記憶部１３２に記録されている端末ＩＤ毎に、その端末ＩＤに関連付けて記録されている店舗情報中の地域情報と、路線情報記憶部１３４に記録されている路線情報とに基づいて、上記端末ＩＤの携帯端末の所有者が最も多く利用する移動経路を求め、その移動経路を示す移動経路情報を購入履歴情報記憶部１３２に記録する。より具体的には、上記所有者の商品購入回数が最も多い地域の最寄り駅（乗車駅）と、商品購入回数が第２番目に多い地域の最寄り駅（降車駅）とを求め、更に、両駅を結ぶ路線の路線名を求め、この求めた乗車駅、降車駅、及び、路線を示す情報を移動経路情報として購入履歴情報記憶部１３２に記録する。
【００３８】
[実施の形態の動作の説明]
次に、本実施の形態の動作について、図８、図９のフローチャートを参照して詳細に説明する。
【００３９】
先ず、携帯端末３−１の所有者が、一人で店舗を訪れ、商品を購入した場合の動作を説明する。携帯端末３−１の所有者は、店舗端末２−１が設置されている店舗において商品を購入すると、店舗端末２−１の端末ＩＤリードライト部２２に携帯端末３−１をかざす。これにより、端末ＩＤリードライト部２２は、携帯端末３−１の端末ＩＤ記憶部３２に記録されている端末ＩＤ（ＩＤ＃１とする）を読み取り、制御部２６に入力する（図８のステップＳ８１）。
【００４０】
一方、店舗の店員は、携帯端末３−１の所有者が購入した商品に関する商品情報を入力部２５から入力すると共に、商品購入時にクーポンが利用されたか否かを示すクーポン利用情報を入力部２５から入力する。その後、店員は、入力部２５より制御部２６に対して購入情報の送信指示を入力する。
【００４１】
これにより、制御部２６は、端末ＩＤリードライト部２２が読み取った携帯端末３−１の端末ＩＤ（ＩＤ＃１）と、入力部２５から入力された商品情報およびクーポン利用情報と、店舗情報記憶部２３から入力した店舗情報とを含む購入情報を作成し、作成した購入情報をクーポン配布サーバ１へ送信する（ステップＳ８２）。
【００４２】
クーポン配布サーバ１内の購入履歴情報更新手段１２１は、店舗端末２−１から購入情報が送られてくると、それに基づいて、購入履歴情報記憶部１３２を更新する（ステップＳ８３）。より具体的には、購入履歴情報記憶部１３２から、上記購入情報中の端末ＩＤ（ＩＤ＃１）を検索し、検索したＩＤに関連付けて、上記購入情報中の商品情報、店舗情報、及び、購入日時（現在日時）を購入履歴情報記憶部１３２に記録する。その後、上記端末ＩＤに関連付けて記録されているクーポン利用回数をインクリメント（例えば、+１）する。
【００４３】
その後、発行クーポン選択部１２２が、携帯端末３−１に対して送信するクーポン情報を選択する（ステップＳ８４）。このステップＳ８４の処理を、図９を参照して詳しく説明すると、次のようになる。
【００４４】
先ず、発行クーポン選択部１２２は、店舗端末２−１から送られてきた購入情報中のクーポン利用情報に基づいて、携帯端末３−１の所有者が商品を購入した際にクーポンを利用したか否かを判定する（ステップＳ９１）。
【００４５】
そして、クーポンを利用しないで商品を購入した場合（ステップＳ９１がＮＯ）は、利用者が良く商品を購入する地域に存在する店舗が発行しているクーポンのクーポンＩＤを選択する（ステップＳ９２）。より具体的には、購入情報中の端末ＩＤ（ＩＤ＃１）と関連付けて記録されている購入履歴情報に基づいて、携帯端末３−１の所有者による商品購入回数が多い方から所定個数の地域を選択し、この選択した地域を示す地域情報と関連付けてクーポン情報記憶部１３３に記録されているクーポンＩＤを選択する。更に、携帯端末３−１の所有者が今回商品を購入した地域が、選択されているか否かを調べ、選択されていない場合は、今回商品が購入された地域を示す地域情報に関連付けてクーポン情報記憶部１３３に記録されているクーポンＩＤも選択するようにしてもよい。更に、移動経路情報によって示される移動経路を含む地域の地域情報に関連付けてクーポン情報記憶部１３３に記録されているクーポンＩＤを選択するようにしてもよい。ここで、地域情報が住所であれば、例えば、町名が同じ地域情報を同一の地域を表す地域情報と扱うことができる。また、地域情報が地域固有の地域ＩＤであれば、地域ＩＤが同じ地域情報を同一の地域を表す地域情報として扱うことができる。
【００４６】
その後、発行クーポン選択部１２２は、ステップＳ９２で選択したクーポンＩＤ毎に、そのクーポンＩＤに関連付けて記録されている第１〜第３レベルのクーポン情報の内の、第１レベルのクーポン情報（特典が最も低いクーポン情報）を選択し、選択したクーポン情報を携帯端末３−１へ送信する（図９のステップＳ９３、Ｓ９７、及び、図８のステップＳ８４、Ｓ８５）。
【００４７】
また、ステップＳ９１でユーザがクーポンを利用して商品を購入したと判定した場合（ステップＳ９１がＹＥＳ）は、発行クーポン選択部１２２は、前述したステップＳ９２と同様の処理を行うことにより、クーポンＩＤを選択する（ステップＳ９５）。その後、ステップＳ９５で選択したクーポンＩＤ毎に、そのクーポンＩＤに関連付けて記録されている第１〜第３レベルのクーポン情報の内の、クーポン利用回数に応じたレベルのクーポン情報を選択し、選択したクーポン情報を携帯端末３−１へ送信する（ステップＳ９６、Ｓ９７）。ここで、クーポン利用回数は、携帯端末３−１の端末ＩＤ（ＩＤ＃１）に関連付けて購入履歴情報記憶部１３２に記録されている利用回数情報によって示されるものである。また、クーポンの利用回数が多い場合ほど、高いレベルのクーポン情報を選択する。
【００４８】
携帯端末３−１内の制御部３７は、クーポン情報が送られてくると、それをクーポン情報記憶部３６に記録する。本実施の形態の場合、電子メールの添付ファイルとしてクーポン情報が送られてくるので、クーポン情報は、電子メールの受信ホルダに格納されることになる。携帯端末３−１の所有者は、店舗での商品購入時にクーポンを使用する場合には、入力部３５を操作し、制御部３７に表示指示を与えることにより、クーポン情報記憶部３６に記録されているクーポン情報を表示部３４に表示させる。そして、商品購入時に表示部３４に表示されているクーポン情報を定員に見せることにより、クーポン内容に応じた特典を受ける。
【００４９】
次に、携帯端末３−１の所有者が知人を誘って店舗に出向き、商品を購入する場合の動作について説明する。
【００５０】
携帯端末３−１の所有者は、携帯端末３−ｋの所有者を誘って店舗に出向く前に、携帯端末３−１と携帯端末３−ｋを近づけ、その後、入力部３５から読み取り指示を入力する。これにより、制御部２３は、端末ＩＤリードライト部３３に対して端末ＩＤの読み取りを指示し、この指示を受けた端末ＩＤリードライト部３３は、携帯端末３−ｋの端末ＩＤ記憶部３２に記録されている端末ＩＤ（ＩＤ＃ｋ）を読み込み、読み込んだ端末ＩＤを制御部３７に渡す。これにより制御部３７は、端末ＩＤ記憶部３２に、携帯端末３−ｋの端末ＩＤ（ＩＤ＃ｋ）を追記録する。
【００５１】
その後、携帯端末３−１の所有者が、店舗に出向き、クーポンを利用して商品を購入した場合、携帯端末３−１の所有者は、携帯端末を店舗端末２−１の端末ＩＤリードライト部２２にかざす。これにより、端末ＩＤリードライト部２２は、携帯端末３−１の端末ＩＤ記憶部３２に記録されている端末ＩＤを読み取る（ステップＳ８１）。この場合は、携帯端末３−１の端末ＩＤ（ＩＤ＃１）と携帯端末３−Ｋの端末ＩＤ（ＩＤ＃ｋ）との２つの端末ＩＤが読み取られる。その後、前述したステップＳ８２と同様の処理が行われ、購入情報がクーポン配布サーバ１へ送信される。なお、この場合は、購入情報には、購入者の端末ＩＤ（ＩＤ＃１）と同伴者の端末ＩＤ（ＩＤ＃ｋ）とが含まれる。なお、ステップＳ８１で上記２つの端末ＩＤを読み込んだ際には、店舗端末２−１の制御部２６は、端末ＩＤリードライト部２２に指示を出し、携帯端末３−１の端末ＩＤ記憶部３２に記録されている同伴者の端末ＩＤ（ＩＤ＃ｋ）を削除させる。
【００５２】
クーポン配布サーバ１内の購入履歴情報更新部１２１は、店舗端末２−１から購入情報が送られてくると、前述した処理と同様の処理を行い、購入履歴情報記憶部１３２を更新する（ステップＳ８３）。その後、発行クーポン選択部１２２が携帯端末３−１へ送信するクーポン情報を選択する（ステップＳ８４）。この場合は、クーポンを利用した商品購入であり、購入情報には、２つの端末ＩＤ（ＩＤ＃１，ＩＤ＃ｋ）が含まれているので、図９のステップＳ９１、Ｓ９２の判断結果は、それぞれＹＥＳ，ＮＯとなり、ステップＳ９８の処理が行われる。
【００５３】
ステップＳ９８では、発行クーポン選択部１２２は、購入情報中の店舗情報と関連付けてクーポン情報記憶部１３３に記録されているクーポン情報の内の、第３レベルのクーポン情報を選択する。その後、発行クーポン選択部１２２は、選択したクーポン情報を携帯端末３−１へ送信する（ステップＳ９７）。このように、同伴者と店舗を訪れ、クーポンを利用して商品を購入した購入者には、割引率が大きいなどの特典が多いクーポン情報が配布される。
【００５４】
なお、上述した実施の形態では説明しなかったが、ステップＳ９３やステップＳ９６で配布するクーポン情報のレベルを決定する際、購入者の自宅から商品を購入した店舗までの距離を考慮して、配布するクーポン情報のレベルを決定するようにしてもよい（自宅からの距離が遠いほど、レベルの高いクーポン情報を選択する）。また、ステップＳ９２、Ｓ９５でクーポンＩＤを選択する際、携帯端末の所有者の嗜好に合ったクーポンＩＤも選択するようにしてもよい。すなわち、上記所有者の携帯端末の端末ＩＤに関連付けて記録されている嗜好情報を検索し、更に、検索した嗜好情報と関連付けてクーポン情報記憶部１３３に記録されているクーポンＩＤを選択するようにしてもよい。また、上述した実施の形態では、携帯端末３−１から２つの端末ＩＤを読み取った場合には、第３レベルのクーポン情報を配布対象にするようにしたが、携帯端末３−１から読み取った端末ＩＤの数に応じてレベルのクーポン情報を配布対象にするようにしてもよい。
【００５５】
[実施の形態の効果]
本実施の形態によれば、ユーザがクーポンの利用希望地域をクーポン配布サーバに登録するといった面倒な操作を行わなくとも、ユーザがよく商品を購入する地域で利用可能なクーポン情報を得ることができる。その理由は、クーポン配布サーバ１が、携帯端末の端末ＩＤに関連付けて、その所有者が商品を購入した地域を示す地域情報が記録された購入履歴情報記憶部を利用して、携帯端末の所有者がよく商品を購入する地域を求め、その地域で利用可能なクーポン情報を配布するようにしているからである。
【００５６】
また、本実施の形態によれば、携帯端末の所有者の移動経路を含む地域に存在する店舗のクーポン情報も上記所有者に配布することができるので、店舗の売上向上につながる。
【００５７】
更に、本実施の形態によれば、携帯端末の所有者が同伴者を連れて店舗に出向き、クーポンを利用した際に特典の大きいクーポン情報を得ることができるので、更なる店舗の売上向上につながる。
【符号の説明】
【００５８】
１…クーポン配布サーバ
１１…送受信部
１２…制御部
１２１…購入履歴情報記憶部
１２２…発行クーポン選択部
１２３…移動経路算出部
１３…記憶部
１３１…利用者情報記憶部
１３２…購入履歴情報記憶部
１３３…クーポン情報記憶部
１３４…路線情報記憶部
２−１〜２−ｊ…店舗端末
２１…送受信部
２２…端末ＩＤリードライト部
２３…店舗情報記憶部
２４…表示部
２５…入力部
２６…制御部
３−１〜３−ｋ…携帯端末
３１…送受信部
３２…端末ＩＤ記憶部
３３…端末ＩＤリードライト部
３４…表示部
３５…入力部
３６…クーポン情報記憶部
３７…制御部
４…無線基地局
５…ネットワーク
【図１】
2012208647.tif 000003
【図２】
2012208647.tif 000004
【図３】
2012208647.tif 000005
【図４】
2012208647.tif 000006
【図５】
2012208647.tif 000007
【図６】
2012208647.tif 000008
【図７】
2012208647.tif 000009
【図８】
2012208647.tif 000010
【図９】
2012208647.tif 000011